(57)【特許請求の範囲】
【請求項１】
複数の商品収納庫を有し、冷却加熱の運転モードにより各商品収納庫を選択的に冷  却もしくは加熱するための自動販売機であって、
冷媒を圧縮する圧縮機と、庫外に設け冷媒を凝縮する凝縮器と、該凝縮器の出口側  に冷媒を膨張させる膨張手段と、膨張手段より膨張した冷媒を分配する分配器と、  庫内に設け冷媒を蒸発して庫内を冷却する複数の蒸発器と、庫内に設け冷媒を凝縮  して庫内を加熱する加熱熱交換器と、庫内に設け庫内を加熱する加熱ヒータと、庫  内温度を検知する庫内温度検知手段と、これらを制御する制御手段を有する自動販  売機において、
商品収納庫1室を加熱する運転モードから当該加熱されていた商品収納庫を含む商  品収納庫２室を加熱する運転モードに切り替える時、加熱する２室の庫内温度差に  より前記加熱ヒータを加熱駆動させることを特徴とする自動販売機。
【請求項２】
加熱する２室の庫内温度差が第１の判定値以上の場合には、庫内温度の低い商品収  納庫を加熱ヒータにより加熱させ、かつ、庫内温度の高い商品収納庫を加熱熱交換  器により加熱させ、加熱する２室の庫内温度差が第1の判定値より低い第２の判定  値以下に達したときには、２室の商品収納庫を加熱熱交換器により加熱させること  を特徴とする請求項１に記載の自動販売機。
【請求項３】
加熱する２室の庫内温度差が第３の判定値以上の場合には、両室の商品収納庫を加  熱ヒータにより加熱させることを特徴とする請求項１に記載の自動販売機。
【発明の詳細な説明】
【技術分野】
【０００１】
本発明は、缶、ビン、パック、ペットボトル等の容器に入れた飲料等の商品を冷  媒回路にて冷却または加熱して販売に供する自動販売機に関する。
【背景技術】
【０００２】
近年の地球温暖化に対して二酸化炭素の排出量削減が課題となっており、自動  販売機も省エネ型が開発されている。その１方式として従来は排熱していた凝縮器  の熱を庫内の加熱に利用するヒートポンプ方式の自動販売機が注目されている（例  えば、特許文献１参照）。
しかしながら、この自動販売機は、庫内側の熱交換器を冷却時には蒸発器として  使用し、加温時には凝縮器として使用するため、自動販売機の冷却加熱の運転モー  ドによって、冷媒の流し方を変更させる必要がある結果、冷凍回路の配管が複雑に  なりコスト高を招来するという問題がある。
また、ＣＯ2冷媒を使用して、製造コストを低減させるために１つの商品収納庫  に冷却用熱交換器と加熱用熱交換器を２つの配管回路を設けて冷媒回路を構成する  ことが知られている（例えば、特許文献２参照）。
【特許文献１】特開２００２−２９８２１０号公報
【特許文献２】特開２００６−１１４９３号公報
【発明の開示】
【発明が解決しようとする課題】
【０００３】
しかしながら、特許文献２に記載の冷媒回路を臨界内の温度で使用する場合で、  かつ、加熱用熱交換器を複数用いる場合において、商品収納庫1室を加熱する運転  モードから商品収納庫２室を加熱する運転モードに切り替える時、もともと冷却運  転をしていた商品収納庫は、庫内が１０℃以下の低温に冷やされているため、庫内  の加熱熱交換器に高温高圧冷媒が流れ込んでもすぐに凝縮して寝込む。一方、もと  もと加熱運転をしていた商品収納庫では、冷媒が凝縮して溜まることなく低圧側へ  と流れる。このため、加熱運転に切り替った商品収納庫の加熱熱交換器の出口が塞  がれることになり、加熱熱交換器に冷媒が流れにくくなり、加熱特性が低下すると  いう問題がある。
本発明は、上記実情に鑑みなされたもので、商品収納庫1室を加熱する運転モー  ドから当該加熱されていた商品収納庫を含む商品収納庫２室を加熱する運転モード  に切り替える時、効率よく加熱運転を行う自動販売機を提供することを目的とする  。
【課題を解決するための手段】
【０００４】
上記の目的を達成するために、本発明の請求項１に係る自動販売機は、複数の商  品収納庫を有し、冷却加熱の運転モードにより各商品収納庫を選択的に冷却もしく  は加熱するための自動販売機であって、
冷媒を圧縮する圧縮機と、庫外に設け冷媒を凝縮する凝縮器と、該凝縮器の出口側  に冷媒を膨張させる膨張手段と、膨張手段より膨張した冷媒を分配する分配器と、  庫内に設け冷媒を蒸発して庫内を冷却する複数の蒸発器と、庫内に設け冷媒を凝縮  して庫内を加熱する加熱熱交換器と、庫内に設け庫内を加熱する加熱ヒータと、庫  内温度を検知する庫内温度検知手段と、これらを制御する制御手段を有する自動販  売機において、商品収納庫1室を加熱する運転モードから商品収納庫２室を加熱す  る運転モードに切り替える時、加熱する２室の庫内温度差により前記加熱ヒータを  加熱駆動させることを特徴とする
また、本発明の請求項２に係る自動販売機は、請求項１において、加熱する２室  の庫内温度差が第１の判定値以上の場合には、庫内温度の低い商品収納庫を加熱ヒ  ータにより加熱させ、かつ、庫内温度の高い商品収納庫を加熱熱交換器により加熱  させ、加熱する２室の庫内温度差が第1の判定値より低い第２の判定値以下に達し  たときには、２室の商品収納庫を加熱熱交換器により加熱させることを特徴とする  。
【０００５】
また、本発明の請求項３に係る自動販売機は、請求項１において、加熱する２室  の庫内温度差が第３の判定値以上の場合には、両室の商品収納庫を加熱ヒータによ  り加熱させることを特徴とする
【発明の効果】
【０００６】
本発明に係る請求項１−３の自動販売機は、複数の商品収納庫を有し、冷却加熱  の運転モードにより各商品収納庫を選択的に冷却もしくは加熱するための自動販売  機であって、冷媒を圧縮する圧縮機と、庫外に設け冷媒を凝縮する凝縮器と、該凝  縮器の出口側に冷媒を膨張させる膨張手段と、膨張手段より膨張した冷媒を分配す  る分配器と、庫内に設け冷媒を蒸発して庫内を冷却する複数の蒸発器と、庫内に設  け冷媒を凝縮して庫内を加熱する加熱熱交換器と、庫内に設け庫内を加熱する加熱  ヒータと、庫内温度を検知する庫内温度検知手段と、これらを制御する制御手段を  有する自動販売機において、商品収納庫1室を加熱する運転モードから商品収納庫  ２室を加熱する運転モードに切り替える時、加熱する２室の庫内温度差により前記  加熱ヒータを加熱駆動させることにより、冷却運転に使用されていた庫内を加温す  るので、加熱運転に切り替った商品収納庫の加熱熱交換器の出口で冷媒が塞がれる  ことを抑制できる結果、商品収納庫1室を加熱する運転モードから商品収納庫２室  を加熱する運転モードに切り替える時、効率よく加熱運転を行うことができる。
【発明を実施するための最良の形態】
【０００７】
以下に添付図面を参照して、本発明に係る自動販売機の好適な実施例を詳細に説  明する。なお、この実施例によりこの発明が限定されるものではない。
（実施例１）
まず、本発明の実施例１に係る自動販売機について図１〜１０を参照しつつ説明  する。図１は本発明の実施例に係る自動販売機を示す斜視図、図２は、図１に示し  た自動販売機の断面図であり、図３は本発明の実施例に係る冷媒回路図である。図  ４は制御装置のブロック図を示し、図５は運転モードＣＣＣの冷媒の流れを示す回  路図であり、図６は運転モードＣＨＣの冷媒の流れを示す回路図であり、図７は運  転モードＨＨＣの冷媒の流れを示す回路図である。図８は実施例１に係るモード切  替制御のフローチャートを示し、図９は実施例１に係る制御の電磁弁、ヒータの動  作表を示す。図１０は、図８のフローチャートのステップＳ１４での冷媒の流れを  示す回路図である。
これら図において、自動販売機は、前面が開口した直方状の断熱体として形成さ  れた本体キャビネット１０と、その前面に設けられた外扉２０および内扉３０と、  本体キャビネット１０の内部を上下2段に底板１１にて区画形成し、上部を例えば  ２つの断熱仕切板４０ｗによって仕切られた３つの独立した商品収納庫４０ａ、４  ０ｂ、４０ｃと、下部に商品収納庫４０ａ、４０ｂ、４０ｃを冷却もしくは加熱す  る冷却／加熱ユニット６０を収納する機械室５０と、外扉２０の内側に配設され、  商品収納庫４０ａ、４０ｂ、４０ｃ内の庫内温度センサＴａ、Ｔｂ、Ｔｃにより自  動販売機の冷却、加熱運転などを制御する制御手段９０と、を有して構成されてい  る。
【０００８】
より詳細に説明すると、外扉２０は、本体キャビネット１０の前面開口を開閉す  るためのものであり、図には明示していないが、この外扉２０の前面には、販売す  る商品の見本を展示する商品展示室、販売する商品を選択するための選択ボタン、  貨幣を投入するための貨幣投入口、払い出された商品を取り出すための商品取出口  ２１等々、商品の販売に必要となる構成が配置してある。
内扉３０は、商品収納庫４０ａ、４０ｂ、４０ｃの前面を開閉し、内部の商品を  保温するものであり、上下２段に分割され内部に断熱体を有する箱型形状の構造体  である。上側の内扉３０ａは、一端を外扉２０に枢軸し、他端を外扉２０に係着し  て、外扉２０の開放と同時に上側の内扉３０ａを開放させて、商品の補充を容易に  するものである。下側の内扉３０ｂは、一端を本体キャビネット１０に枢軸し、他  端を本体キャビネット１０に不図示の掛金にて掛着して、外扉２０を開放したとき  には、閉止した状態であり、商品収納庫４０ａ、４０ｂ、４０ｃ内の冷気もしくは  暖気が流出することを防ぎ、メンテナンス時など必要に応じて開放できるものであ  る。
商品収納庫４０ａ、４０、４０は、缶入り飲料やペットボトル入り飲料等の商品  を所望の温度に維持した状態で収容するためのものであり、その収納庫の容量は商  品収納庫４０a、４０ｃ、４０ｂの順番に大きな態様で配分されている。本実施例  は、商品収納庫４０aを冷却専用とし、商品収納庫４０ｃ、４０ｂを冷却加熱兼用  としている。その商品収納庫４０ａ、４０ｂ、４０ｃには、それぞれ、商品を上下  方向に沿って並ぶ態様で収納し、販売信号により1個ずつ商品を排出するための商  品搬出機構を備えた商品収納ラックＲ、排出された商品Ｓを内扉３０ｂに取設され  た搬出扉３１を介して外扉の販売口２１へ搬出する商品搬出シュート４２を有して  いる。
【０００９】
冷却／加熱ユニット６０は、冷凍サイクルを構成する圧縮機６１、凝縮器６２、  膨張弁６３、分流器６４と、底板１１を跨いで庫内の蒸発器６５ａ、６５ｂ、６５  ｃとを冷媒配管で連結した冷却部と、圧縮機６１から加熱熱交換器６６ｂ、６６ｃ  とを冷媒配管で連結した加熱部と、商品収納庫４０ｃ、４０ｂに取設された加熱ヒ  ータ８０ｃ、８０ｂとから構成され、運転モードに応じて、庫内に冷風または温風  を循環させて商品収納ラックＲ内の商品Ｓを冷却または加熱するものである。
凝縮器６２の後部にはファン６２ｆが取設され、ファン６２ｆは機械室５０の前  面開口部より空気を吸入し、凝縮器６２による凝縮熱を吸収するとともに、圧縮機  ６１の排熱を吸収して、機械室５０の背面開口部へ排気するためのものである。
蒸発器６５ａ、６５ｂ、６５ｃは、商品収納庫４０ａ、４０ｂ、４０ｃを冷却す  るためのものであり、各商品収納庫の下部に取設されている。また、加熱熱交換器  ６６ｂ、６６ｃは、蒸発器６５ｂ、６５ｃの前に取設され、商品収納庫４０ｂ、４  ０ｃを加熱するためのものである。蒸発器６５ａ、６５ｂ、６５ｃ、加熱熱交換器  ６６ｂ、６６ｃは、各商品収納庫４０ａ、４０ｂ、４０ｃにおいて、風胴６７で囲  繞され、その前方にファン６５ｆが取設され、後方にはダクト６７ｄが取設されて  いる。商品収納庫内の冷却／加熱は、蒸発器６５ａ、６５ｂ、６５ｃ、加熱熱交換  器６６ｂ、６６ｃにより冷却もしくは加熱された空気を商品収納庫内の商品Ｓに送  風し、ダクト６７ｄより回収することで行われる。
【００１０】
冷却／加熱ユニット６０の冷媒回路構成について図３を用いて詳述する。図３に  示すように圧縮機６１から出た配管は電磁弁６８を介して凝縮器６２に接続され、  凝縮器６２から出た配管は逆止弁７１を介して膨張弁６３（膨張手段、キャピラリ  でも良い）に接続されている。膨張弁６３から出た配管は分流器６４に接続し、分  流器６４より電磁弁７０ａ、７０ｂ、７０ｃを介して蒸発器６５ａ、６５ｂ、６５  ｃに接続されて、蒸発器６５ａ、６５ｂ、６５ｃからの配管は集合してアキュムレ  ータ７８を介して圧縮機６１に接続されている。なお、図３中の破線は、商品収納  庫４０ａ、４０ｂ、４０ｃを示し、商品収納庫４０ａ、４０ｂ、４０ｃ内に庫内温  度センサＴａ、Ｔｂ、Ｔｃおよび商品収納庫４０ｂ、４０ｃに加熱ヒータ８０ｂ、  ８０ｃが取設されていることを示す。
一方、圧縮機６１から出た配管は電磁弁６８ｂ、６８ｃを介して加熱熱交換器６  ６ｂ、６６ｃに接続され、加熱熱交換器６６ｂ、６６ｃを出た配管は、逆止弁７１  、７１を介して集合し、庫外熱交換器７６に接続されている。また、庫外熱交換器  ７６から出た配管は、電子膨張弁７９を介して膨張弁６３の下流側に接続されてい  る。
冷媒は、臨界圧力内で使用する冷媒、例えばフロン冷媒でＲ１３４ａを使用して  いる。
【００１１】
制御手段９０は、商品収納庫４０ａ、４０ｂ、４０ｃの運転モードにより冷却も  しくは加熱を制御するものであり、図４に示すように内部にＣＰＵ、メモリを有し  、運転モード設定ＳＷ９１の設定により冷媒回路の電磁弁開閉の制御を行う。運転  モードは、商品収納庫４０ａ、４０ｂ、４０ｃの冷却もしくは加熱の運転をＣ、Ｈ  で示すものであり、商品収納庫の左側から順（４０ｃ、４０ｂ、４０ａ）に、例え  ば、すべてが冷却の場合にはＣＣＣモード、左の商品収納庫のみが加熱の場合には  ＨＣＣモードと記す。制御手段９０は、庫内温度センサＴａ、Ｔｂ、Ｔｃにより各  庫内の温度を検知して、サーモサイクル運転を行う。具体的には、庫内温度がサー  モＯＦＦ設定温度（例えば、冷却の場合は−２℃、加熱の場合は６１℃）になった  ときにはその庫内の蒸発器、加熱熱交換器に関する電磁弁を閉成し、庫内温度がサ  ーモＯＮ設定温度（例えば、冷却の場合は８℃、加熱の場合は４１℃）になったと  きにはその庫内の蒸発器、加熱熱交換器に関する電磁弁を開成して、庫内を適温に  制御する。
また、制御手段９０は、ヒータ８０ｂ、８０ｃと接続し、運転モード切替時に後  述するようにヒータ８０ｂ、８０ｃを制御する。
かかる構成で運転モードをＣＣＣモードに設定すると、制御手段９０は、電磁弁  ６８、７０ａ、７０ｂ、７０ｃを開成し、電磁弁６８ｂ、６８ｃを閉成する。図５  で示すように圧縮機６１で圧縮された高温冷媒は、凝縮器６２に凝縮され液冷媒と  なり、膨張弁６３で膨張して低温の気液２相流となり、分流器６４で３方に分流さ  れ蒸発器６５ａ、６５ｂ、６５ｃで蒸発し、商品収納庫４０ａ、４０ｂ、４０ｃが  冷却される。気体となった冷媒は、液冷媒を貯留するアキュムレータ７８を介して  気液分離させて圧縮機６１に戻る。この冷却は、制御装置９０にて庫内温度センサ  Ｔａ、Ｔｂ、Ｔｃによるサーモサイクル運転により庫内温度が適温に制御される。  
【００１２】
次に、運転モードを中央の１室を加熱するＣＨＣモードに設定すると、制御手段  ９０は、電磁弁６８ｂ、７０ｃ、７０ａを開成し、電磁弁６８、６８ｃ、７０ｂを  閉成する。図６で示すように圧縮機６１で圧縮された高温冷媒は、加熱熱交換器６  ６ｂに流入して凝縮され、商品収納庫４０ｃを加熱する。加熱熱交換器６６ｂで凝  縮され高温冷媒は、さらに庫外熱交換器７６で凝縮され、電子膨張弁７９で膨張さ  れる。電子膨張弁７９で膨張された冷媒は、低温の気液２相流となり、分流器６４  で分流され蒸発器６５ａ、６５ｃで蒸発し、商品収納庫４０ａ、４０ｂが冷却され  る。蒸発器６５ａ、６５ｃで気体となった冷媒は、圧縮機６１に戻る。この冷却加  熱運転も前述のようにサーモサイクル運転で庫内が適温に維持される。
次に、運転モードを左側と中央の２室を加熱するＨＨＣモードに設定すると、制  御手段９０は、電磁弁６８ｂ、６８ｃ、７０ａを開成し、電磁弁６８、７０ｂ、７  ０ｃを閉成する。図７で示すように圧縮機６１で圧縮された高温冷媒は、加熱熱交  換器６６ｂ、６６ｃに流入して凝縮され、商品収納庫４０ｂ、４０ｃを加熱する。  加熱熱交換器６６ｂ、６６ｃで凝縮された高温冷媒は、さらに庫外熱交換器７６で  凝縮され、電子膨張弁７９で膨張される。電子膨張弁７９で膨張された冷媒は、低  温の気液２相流となり、分流器６４を経由して蒸発器６５ａで蒸発し、商品収納庫  ４０ａが冷却される。蒸発器６５ａで気体となった冷媒は、圧縮機６１に戻り冷凍  サイクル運転がされる。そして、前述のようにサーモサイクル運転が行われ、庫内  が適温に制御される。
【００１３】
次に、商品収納庫1室を加熱する運転モードから当該加熱されていた商品収納庫  を含む商品収納庫２室を加熱する運転モードに切り替える時の制御をＣＨＣからＨ  ＨＣモードに切り替える場合を例にして、図８のフローチャート、図９の動作表を  参照しつつ説明をする。なお、説明の便宜上、以下、商品収納庫４０ａ、４０ｂ、  ４０ｃを右室４０ａ、中室４０ｂ、左室４０ｃといい、冷却運転する商品収納庫を  冷却室、加熱運転する商品収納庫を加熱室という。
まず、庫内温度を読み込み（Ｓ１１）、加熱室である中室４０ｂ、左室４０ｃの  庫内温度の差を求めて第１の判定値（例えば、３０℃）と比較する（Ｓ１２）。中  室４０ｂ、左室４０ｃの庫内温度の差が第１の判定値を超える場合には（Ｓ１２／  Ｙｅｓ）、冷却室である右室４０ａの庫内温度を調べ、サーモＯＮ条件を満足して  いるかを判定する（Ｓ１３）。サーモＯＮ条件を満足していれば（Ｓ１３／Ｙｅｓ  ）、図９の動作表のように、庫内温度の低い左室４０ｃに対応する電磁弁６８ｃを  閉成し、庫内温度の高い中室４０ｂに対応する電磁弁６８ｂ、および冷却室の右室  ４０ａに対応する電磁弁７０ａを開成し、左室４０ｃの加熱ヒータ８０ｃを通電す  る（Ｓ１４）。このときの冷媒は、図１０に示すように流れ、右室４０ａは蒸発器  ６５ａで冷却し、中室４０ｂは加熱熱交換器６６ｂで加熱され、左室４０ｃは加熱  ヒータ８０ｃで加熱される。また、庫内温度の低い左室４０ｃに冷媒が流れないの  で、加熱熱交換器６５ｃの出口が塞がれることによる加熱特性が低下はない。
【００１４】
図８の次のステップでは、中室４０ｂ、左室４０ｃの庫内温度の差を求めて第２  の判定値（例えば、２０℃）と比較する（Ｓ１５）。両室の温度差が第２の判定値  以上であれば（Ｓ１５／Ｎｏ）最初のステップＳ１１に戻り、両室の温度差が第２  の判定値より小さければ（Ｓ１５／Ｙｅｓ）、図９の動作表のように、電磁弁６８  ｃを開成し、ヒータ８０ｃの通電を停止し、図７に示すような通常のＨＨＣ運転を  行う（Ｓ１６）。
なお、ステップＳ１３で、冷却室である右室４０ａの庫内温度を調べ、サーモＯ  Ｎ条件を満足していなければ（Ｓ１３／Ｎｏ）、すなわち、右室４０ａが十分に冷  却されている状態であれば、圧縮機６１を停止して、左室４０ｃ、中室４０ｂを加  熱ヒータ８０ｂ、８０ｃによる加熱運転に切り替える。
このように、商品収納庫1室を加熱する運転モードから当該加熱されていた商品  収納庫を含む商品収納庫２室を加熱する運転モードに切り替える時、加熱する２室  の庫内温度差により前記加熱ヒータを加熱駆動させることにより、加熱運転に切り  替った商品収納庫の加熱熱交換器の出口で冷媒が塞がれることを抑制できる結果、  商品収納庫1室を加熱する運転モードから当該加熱されていた商品収納庫を含む商  品収納庫２室を加熱する運転モードに切り替える時、効率よく加熱運転を行うこと  ができる。
【００１５】
（実施例２）
本発明の実施例２に係る自動販売機について図１１〜１３を参照としつつ説明す  る。実施例１と相違する点は、商品収納庫1室を加熱する運転モードから当該加熱  されていた商品収納庫を含む商品収納庫２室を加熱する運転モードに切り替える時  の制御方法であり、その説明を図１１のフローチャートを用いて詳述し、その他は  実施例１と実質的に同一であるので、その説明を省略する。なお、図１２は実施例  ２に係る制御の電磁弁、ヒータの動作表を示し、図１３は、図１１のフローチャー  トのステップＳ２４での冷媒の流れを示す回路図である。運転モードの切り替えは  、前述のようにＣＨＣからＨＨＣになる時を例として説明をする。
まず、庫内温度を読み込み（Ｓ２１）、加熱室である中室４０ｂ、左室４０ｃの  庫内温度の差を求めて第３の判定値（例えば、３０℃）と比較する（Ｓ２２）。中  室４０ｂ、左室４０ｃの庫内温度の差が第３の判定値を超える場合には（Ｓ２２／  Ｙｅｓ）、冷却室である右室４０ａの庫内温度を調べ、サーモＯＮ条件を満足して  いるかを判定する（Ｓ２３）。サーモＯＮ条件を満足していれば（Ｓ２３／Ｙｅｓ  ）、図１２の動作表のように電磁弁６８ｃ、６８ｂを閉成し、電磁弁７０ａを開成  して中室４０ｂ、左室４０ｃの加熱ヒータ８０ｂ、８０ｃを通電する（Ｓ２４）。  このときの冷媒は、図１３に示すように流れて冷却単独運転となり、右室４０ａは  蒸発器６５ａで冷却され、中室４０ｂ、左室４０ｃは加熱ヒータ８０ｂ、８０ｃで  加熱される。
【００１６】
図１１の次のステップでは、中室４０ｂおよび左室４０ｃの庫内温度がサーモＯ  ＦＦ条件を満たすかを判定する（Ｓ２５）。この条件を満たさなければ（Ｓ２５／  Ｎｏ）最初のステップＳ２１に戻り、中室４０ｂおよび左室４０ｃの庫内温度がサ  ーモＯＦＦ条件を満たせば（Ｓ２５／Ｙｅｓ）、すなわち中室４０ｂおよび左室４  ０ｃともに適温に加温されている状態になると、図７に示すような通常のＨＨＣ運  転を行う（Ｓ２６）。一度両加熱室が適温に加温されると、低温により加熱熱交換  器内で凝縮して寝込むことがなく、効率よく冷却加熱運転を行うことができる。
なお、ステップＳ２３で、冷却室である右室４０ａの庫内温度を調べ、サーモＯ  Ｎ条件を満足していなければ（Ｓ２３／Ｎｏ）、すなわち、右室４０ａが十分に冷  却されている状態であれば、圧縮機６１を停止して、左室４０ｃ、中室４０ｂを加  熱ヒータ８０ｂ、８０ｃによる加熱運転に切り替える。
このように、商品収納庫1室を加熱する運転モードから当該加熱されていた商品  収納庫を含む商品収納庫２室を加熱する運転モードに切り替える時、加熱する２室  の庫内温度差により前記加熱ヒータを加熱駆動させることにより、加熱運転に切り  替った商品収納庫の加熱熱交換器の出口で冷媒が塞がれることを抑制できる結果、  商品収納庫1室を加熱する運転モードから当該加熱されていた商品収納庫を含む商  品収納庫２室を加熱する運転モードに切り替える時、効率よく加熱運転を行うこと  ができる。
【産業上の利用可能性】
【００１７】
以上のように、本発明に係る自動販売機は、缶、ビン、パック、ペットボトル等  の容器に入れた飲料等の商品を冷媒回路にて冷却または加熱するのに適している。  
【図面の簡単な説明】
【００１８】
【図１】本発明の実施例１に係る自動販売機を示す斜視図である。
【図２】図１に示した自動販売機の断面図である。
【図３】本発明の実施例１に係る冷媒回路図である。
【図４】制御装置のブロック図である。
【図５】運転モードＣＣＣの冷媒の流れを示す回路図である。
【図６】運転モードＣＨＣの冷媒の流れを示す回路図である。
【図７】運転モードＨＨＣの冷媒の流れを示す回路図である。
【図８】実施例１に係るモード切替制御のフローチャートである。
【図９】実施例１に係る制御の電磁弁、ヒータの動作表である。
【図１０】図８のフローチャートのステップＳ１４での冷媒の流れを示す回路  図である。
【図１１】実施例１に係るモード切替制御のフローチャートである。
【図１２】実施例２に係る制御の電磁弁、ヒータの動作表である。
【図１３】図１１のフローチャートのステップＳ２４での冷媒の流れを示す回  路図である。
【符号の説明】
【００１９】
１０    本体キャビネット
２０    外扉
３０    内扉
４０ａ、４０ｂ、４０ｃ    商品収納庫
６０    冷却／加熱ユニット
６１    圧縮機
６２    凝縮器
６３    膨張弁（膨張手段）
６５ａ、６５ｂ、６５ｃ    蒸発器
６８ｂ、６８ｃ  電磁弁
８０ｂ、８０ｃ    加熱ヒータ
９０    制御装置
９１    運転モード選択ＳＷ
Ｔａ、Ｔｂ、Ｔｃ    庫内温度センサ
【図１】
0005056425.tif 000002
【図２】
0005056425.tif 000003
【図３】
0005056425.tif 000004
【図４】
0005056425.tif 000005
【図５】
0005056425.tif 000006
【図６】
0005056425.tif 000007
【図７】
0005056425.tif 000008
【図８】
0005056425.tif 000009
【図９】
0005056425.tif 000010
【図１０】
0005056425.tif 000011
【図１１】
0005056425.tif 000012
【図１２】
0005056425.tif 000013
【図１３】
0005056425.tif 000014